(57)【要約】      （修正有）【課題】自転車に乗車して走行する走行距離分に応じた数値を、生活感覚に訴えやすいタクシーの乗車料金として表すことができるようにし、自転車利用をより促進させる自転車用タクシー料金換算装置を提供する。【解決手段】自転車の前進移動による走行距離を検出する走行距離検出手段と、予め距離情報に金額情報を対応させてなる距離金額換算テーブルに基づいて、前記走行距離検出手段で検出された走行距離からなる距離情報に応じた金額情報を算出する金額算出手段と、前記金額算出手段で算出された金額情報を金額として表示する表示手段とを備える。走行距離検出手段は、フロントフォークにとりつけられたセンサ６にて、前輪スポークに磁着体５の移動を検知して、走行距離を算出する。【選択図】図１
0003151048.tif 000002
【実用新案登録請求の範囲】
【請求項１】
自転車の前進移動による走行距離を検出する走行距離検出手段と、予め距離情報に金額情報を対応させてなる距離金額換算テーブルに基づいて、前記走行距離検出手段で検出された走行距離からなる距離情報に応じた金額情報を算出する金額算出手段と、前記金額算出手段で算出された金額情報を金額として表示する表示手段とを備えることを特徴とする自転車用タクシー料金換算装置。
【考案の詳細な説明】
【技術分野】
【０００１】
本考案は自転車に取り付けて利用する装置であって、自転車に乗車して走行したときの走行距離から、その走行距離分をタクシーにて移動した場合のタクシー料金に相当する金額を知ることができるようにした自転車用タクシー料金換算装置に関するものである。
【背景技術】
【０００２】
従来からタクシーの乗車料金は、タクシー車両の車内（例えば助手席側のダッシュボード部分）に設置されたタクシーメータで表示されていて、車両のトランスミッションの回転を検出する走行センサから得られる走行パルスと時間とにより賃走中の乗車料金が演算され、基本的にはこの演算された乗車料金がタクシーメータに表示されるようになっている（例えば、特許文献１参照）。
一方、近年においては、健康指向の高まりや環境負荷の軽減を目指すなどの理由から自転車が着目されるようになってきており、乗車した際の走行距離などを表示できるようにした電子機器により自転車利用の度合を数値などとして利用者に把握し易くすることもなされている（例えば、特許文献２参照）。
【先行技術文献】
【特許文献】
【０００３】
【特許文献１】特開平０８−２５５２６８号公報
【特許文献２】特許第３３７３８１３号公報
【考案の概要】
【考案が解決しようとする課題】
【０００４】
上述したように自転車の利用については、移動手段として用いながら運動不足を解消することができる点や、化石燃料を必要とする自動車利用を抑えて環境負荷の軽減に貢献できる点が利点である。しかしながら、自転車の利用がそれほど拡大していないのが現状であって、その原因としては交通戦争と称さている交通環境も自転車を利用し難くしている一因ではあるが、利用者個々においては自転車を利用しても個人的に金銭面でのメリットを直接には把握し難い点が挙げられる。
そこで本発明は上記事情に鑑み、自転車に乗車して走行する走行距離分に応じた数値を、生活感覚に訴えやすいタクシーの乗車料金として表すことができるようにすることを課題とし、自転車利用をより有意義なものとすることを目的とするものである。
【課題を解決するための手段】
【０００５】
本考案は上記課題を考慮してなされたもので、自転車の前進移動による走行距離を検出する走行距離検出手段と、予め距離情報に金額情報を対応させてなる距離金額換算テーブルに基づいて、前記走行距離検出手段で検出された走行距離からなる距離情報に応じた金額情報を算出する金額算出手段と、前記金額算出手段で算出された金額情報を金額として表示する表示手段とを備えることを特徴とする自転車用タクシー料金換算装置を提供して、上記課題を解消するものである。
【考案の効果】
【０００６】
本考案によれば、自転車に乗車した乗車者が簡単に見える位置、例えば自転車のハンドルバーにこの自転車用タクシー料金換算装置の表示手段が目視できるようにして取り付けて走行することにより、その走行距離に応じたタクシー乗車料金が表示されることとなり、移動手段としてタクシーに代えて自転車を利用したことの経済的なメリットを簡単に把握することができるようになるなど実用性に優れた効果を奏するものである。
【図面の簡単な説明】
【０００７】
【図１】本考案に係る自転車用タクシー料金換算装置の一例の取付例を示す説明図である。
【図２】一例を概略的に示す説明図である。
【考案を実施するための形態】
【０００８】
つぎに本考案を図１と図２に示す実施の形態に基づいて説明する。
上述したように自転車に乗った乗車者がその自転車の走行距離に応じてその走行距離をタクシー利用した場合に要することになるタクシー乗車料金がいくらであるかを確認できるようにするものであり、これを達成する実施の例が自転車にセットした状態で図１に概略的に示されている。図中１は自転車用タクシー料金換算装置であり、該自転車用タクシー料金換算装置１は、図２に示すように走行距離検出手段２と金額算出手段３と表示手段４とを備えてなるもので、走行距離検出手段２の後述する検出部位以外は一つのケースにまとめられて、例えばフロントハンドルに取り付けられる。
上記走行距離検出手段２は、自転車の前進移動での走行距離を検出するものであって、前輪スポークに磁着体５を取り付けるとともに、走行時に移動する前記磁着体５と非接触になるようにフロントフォークに取り付けられたセンサ６にてその磁着体の移動を検知し、車輪前進回転での磁着体の移動を前輪の回転として走行距離を算出していて、算出された距離情報を前記料金算出手段３が受けるように設けられている。
【０００９】
走行距離検出手段２からの距離情報を受ける料金算出手段３には、予め距離情報に金額情報を対応させてなる距離金額換算テーブルが記録された電子演算部があり、自転車の走行によって走行距離検出手段３から得られた距離情報に応じた金額情報を前記距離金額換算テーブルに基づいて電子演算部が算出するように設けられている。料金情報の算出はタクシー乗車料金の算出方法と同様とされていて、タクシー初乗り料金に対応する所定距離について金額値が定められ、また、前記タクシー初乗り料金に対応する前記所定距離を自転車での走行距離が超えると、タクシー乗車料金での単位走行距離において定められている料金値を走行に応じて加算するようにしている。そして、この料金算出手段３で算出される前記金額値を金額情報として上記表示手段４が受けるように設けられている。
表示手段４は液晶表示装置であって、この表示手段４が料金情報を金額として表示するものであり、これによって料金算出手段３からの料金情報をタクシー利用した場合の金額として把握することが簡単に行えるものとなっている。
【００１０】
上記実施の形態では図示されていないが、自転車の走行距離をタクシー乗車料金として換算し始める操作釦、その換算を終了させる操作釦、金額情報をリセットする操作釦を有しているものであり、自転車乗車者の必要に応じてこれらの釦を操作してタクシー乗車料金の表示が行えるように設けられているものである。また、換算を終了してリセットする前の金額情報を紙出力するために小型プリンタを付設したり、可搬型のメモリ素子に出力するためのインターフェイスを付設することも可能であり、そして合成音声にて発音する形態のものとすることも可能である。さらに、タクシー乗車料金の体系が地域により異なる場合もあるが、上記距離金額換算テーブルの情報を必要に応じて変更できるように外部から変換情報を無線や有線にて受けるためのインターフェイスを付設することも可能である。
【符号の説明】
【００１１】
１…自転車用タクシー料金換算装置
２…走行距離検出手段
３…料金算出手段
４…表示手段
５…磁着体
６…センサ
【図１】
0003151048.tif 000003
【図２】
0003151048.tif 000004